【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
前端及び後端（５、６）とインサート座（４）とを備えた本体（１）と、
刃先交換可能な両面ミーリングインサート（２）と、
を有するミーリング工具であって、
前端及び後端の間には中心軸（Ｃ１）が延び、中心軸回りに本体が回転可能であり、中心軸に対して同心状の包絡面（７）を有し、インサート座（４）は包絡面（７）と前端（５）の間の移行部に位置し、
ミーリングインサートは仮想上の円柱（ＣＹ）よって定義される円形基本形状を有し、円柱（ＣＹ）は中心軸（Ｃ２）に同心状でありかつ２つの基準面（ＲＰ）間に延びており、基準面（ＲＰ）は夫々中心軸（Ｃ２）に垂直に延び、更に、ミーリングインサートは１組の対向する切り屑面（１８）を有し、切り屑面は基準面（ＲＰ）に配置され、二つの切り屑面の間にミーリングインサートの中心軸（Ｃ２）に対して同心状の包絡面（１９）が延び、
更に、ミーリングインサートは切り屑面の外周に沿った複数の同一かつ交互に使用可能な切れ刃（２０）を有し、インサート座（４）は本体（１）内で傾けて配置され、その空間位置において軸方向傾き角（τ）と半径方向傾き角（υ）がミーリングインサートの切削中の有効切れ刃（２０）の後方に逃げを設けるためにネガティブであり、
更に、ミーリングインサート（２）は締結部材（３）によってインサート座（４）内に固定されると共に、本体（１）及びミーリングインサートの各々に設けられた協働ロック手段（２８、２９）によって複数の刃先交換位置の１つに回転方向で固定されるミーリング工具において、
ミーリングインサート（２）の個々の切れ刃（２０）は、ミーリングインサートを側面図で見た際に、基準面（ＲＰ）から落ち込む波の谷の形状を有すると共に、底点（２４）を介して互いへと変化する２つの切れ刃部分（２２、２３）を備え、
第１の切れ刃部分（２２）は、第２の切れ刃部分（２３）より長く、傾斜角（η）を以て底点（２４）に向かって降下し、前記傾斜角（η）は前記第２の切れ刃部分（２３）が前記底点（２４）に向かって降下する傾斜角（θ）よりも小さく、
前記第１の切れ刃部分（２２）の前記傾斜角（η）は、ミーリングインサートのネガティブの軸方向傾き角（τ）よりも大きいことを特徴とするミーリング工具。
【請求項２】
ミーリングインサート（２）の包絡面（１９）内に含まれ、かつ個々の切れ刃（２０）の少なくとも第２の切れ刃部分（２３）に隣接する逃げ面（２６）は、仮想の円柱（ＣＹ）から逸脱し、正確には切れ刃部分（２３）から中立面（ＮＰ）に向かう方向に逸脱することを特徴とする請求項１に記載のミーリング工具。
【請求項３】
ミーリングインサート（２）は、中立面（ＮＰ）内に位置するくびれ（２５）を備え、くびれから円周方向の逃げ面（２６）が切り屑面（１８）の外周に向けて分岐することを特徴とする請求項２に記載のミーリング工具。
【請求項４】
ミーリングインサート（２）の一方の切り屑面（１８）に沿う切れ刃（２０）は、他方の切り屑面に沿う切れ刃に対して鋭角の円弧角（λ）をもって回転角度的にずれていることを特徴とする請求項１〜３の何れか一項に記載のミーリング工具。
【請求項５】
個々の切れ刃（２０）の第１の切れ刃部分（２２）は、切れ刃の全円弧長さの少なくとも６０％になる円弧長さを有することを特徴とする請求項１〜４の何れか一項に記載のミーリング工具。
【請求項６】
個々の切れ刃（２０）の第１の切れ刃部分（２２）は、切れ刃の全円弧長さの最大限でも８５％の円弧長さを有することを特徴とする請求項１〜５の何れか一項に記載のミーリング工具。
【請求項７】
回転方向に固定するロック手段は、本体（１）のインサート座（４）の底部（１２）に含まれる一組の雌状及び雄状のロック部分（２８ａ、２９ａ）と、ミーリングインサート（２）の２つの切り屑面にある一組の雄状及び雌状のロック部分（２８、２９）と、を備えることを特徴とする請求項１〜６の何れか一項に記載のミーリング工具。
【請求項８】
ミーリングインサートの個々の切り屑面（１８）の同種のロック部分（２８、２９）の数は、切り屑面に沿う切れ刃（２０）の数に等しく、更に、ロック部分の形状は切れ刃の形状に従い、更に、雄部分として作用する尾根（２８）が切れ刃の終点（２１）に向かって突き出す一方、雌部分として作用する谷（２９）は切れ刃の底点（２４）に向かって突き出すことを特徴とする請求項７に記載のミーリング工具。
【請求項９】
ミーリングインサート（２）の切削中の有効切れ刃（２０ａ）が、前方方向において本体の前端（５）から軸方向最大限に隔てられた終点（２１ａ）に位置するように、本体（１）とミーリングインサートにあるロック部分が夫々配置されることを特徴とする請求項１〜８の何れか一項に記載のミーリング工具。
【請求項１０】
仮想上の円柱（ＣＹ）よって定義される円形基本形状を有する刃先交換可能な両面ミーリングインサート（２）であって、
仮想の円柱は、中心軸（Ｃ２）に対して同心状であり、かつ２つの基準面（ＲＰ）の間に延び、基準面の夫々は中心軸（Ｃ２）に垂直に延びかつ中立面（ＮＰ）から等距離で隔てられ、
基準面（ＲＰ）に位置して１組の対向する切り屑面（１８）であって、切り屑面間に中心軸に対して同心状の包絡面（１９）が延びる１組の切り屑面（１８）と、切り屑面（１８）の外周に沿う複数の同一かつ交互に使用可能な切れ刃（２０）と、ミーリングインサートを複数の所定の刃先交換位置の１つに回転方向で固定するロック手段（２８、２９）と、を有するミーリングインサートにおいて、
個々の切れ刃（２０）は、ミーリングインサートを側面図で見た際に、基準面（ＲＰ）から落ち込む波の谷の形状を有すると共に、底点（２４）を介して互いへと変化する２つの切れ刃部分（２２、２３）を備え、
第１の切れ刃部分（２２）は、第２の切れ刃部分（２３）より長く、かつ傾斜角（η）を以て底点（２４）に向かって降下すると共に、傾斜角（η）は、第２の切れ刃部分（２３）が底点（２４）に向かって降下する傾斜角（θ）よりも小さいことを特徴とするミーリングインサート。
【請求項１１】
包絡面（１９）内に含まれ、かつ少なくとも第２の切れ刃部分（２３）に隣接する逃げ面（２６）が、仮想の円柱（ＣＹ）から逸脱し、正確には切れ刃部分（２３）から中立面（ＮＰ）に向かう方向に逸脱することを特徴とする請求項１０に記載のミーリングインサート。
【請求項１２】
ミーリングインサートは、中立面（ＮＰ）内に位置するくびれ（２５）を備え、くびれから円周方向の逃げ面（２６）が切り屑面（１８）の外周に向けて分岐することを特徴とする請求項１１に記載のミーリングインサート。
【請求項１３】
一方の切り屑面（１８）に沿う切れ刃（２０）は、他方の切り屑面に沿う切れ刃に対して鋭角の円弧角（λ）をもって回転角度的にずれていることを特徴とする請求項１０〜１２の何れか一項に記載のミーリングインサート。
【請求項１４】
個々の切れ刃（２０）の第１の切れ刃部分（２２）は、切れ刃の全円弧長さの少なくとも６０％になる円弧長さを有することを特徴とする請求項１０〜１３の何れか一項に記載のミーリングインサート。
【請求項１５】
個々の切れ刃（２０）の第１の切れ刃部分（２２）は、切れ刃の全円弧長さの最大限でも８５％の円弧長さを有することを特徴とする請求項１０〜１４の何れか一項に記載のミーリングインサート。
【請求項１６】
回転方向に固定するロック手段は、各切り屑面（１８）に位置する一組の雄状及び雌状のロック部分（２８、２９）であることを特徴とする請求項１０乃至１５のいずれかに記載のミーリングインサート。
【請求項１７】
夫々の組の同種のロック部分（２８、２９）の数は、各切り屑面に沿う切れ刃（２０）の数に等しく、更に、ロック部分の形状は切れ刃の形状に従い、更に、雄部分として作用する尾根（２８）が切れ刃の終点（２１）に向かって突き出す一方、雌部分として作用する谷（２９）は切れ刃の底点（２４）に向かって突き出すことを特徴とする請求項１６に記載のミーリングインサート。